【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
入力画像データの注目画素における濃度値と、前記注目画素における濃度値に応じたパルス幅のＰＷＭ信号に基づいて実際に照射されるレーザー光の光量と当該パルス幅に対応する理想のレーザー光の光量とに基づいて算出されるＰＷＭ誤差値と、から前記注目画素における誤差値を算出する誤差値算出手段と、
前記注目画素の周辺に位置する周辺画素において算出された前記誤差値を、所定の割合で前記注目画素における濃度値に加算する濃度値計算手段と、を備え、
前記誤差値算出手段は、前記注目画素における濃度値または前記入力画像データにおける前記注目画素の画素位置に応じて、前記注目画素における誤差値を０にする
ことを特徴とする画像処理装置。
【請求項２】
前記誤差値算出手段は、前記注目画素における入力濃度値が０の場合、前記注目画素における誤差値を０とする
ことを特徴とする請求項１に記載の画像処理装置。
【請求項３】
前記誤差値算出手段は、前記注目画素において前記誤差値が所定の割合で加算された後の濃度値が１未満の場合、前記注目画素における誤差値を０とする
ことを特徴とする請求項１に記載の画像処理装置。
【請求項４】
前記入力画像データに所定のスクリーン角度が生じるように量子化を行い、スクリーン画像を生成するディザスクリーン処理手段をさらに備え、
前記誤差値算出手段は、前記スクリーン画像における注目画素を走査しつつ、前記注目画素における誤差値を算出する
ことを特徴とする請求項１から３のいずれか１項に記載の画像処理装置。
【請求項５】
前記入力画像データに所定のスクリーン角度が生じるように量子化を行い、スクリーン画像を生成するディザスクリーン処理手段をさらに備え、
前記誤差値算出手段は、前記注目画素が前記スクリーン画像におけるスクリーン領域の境界に位置している場合、前記注目画素における誤差値を０とする
ことを特徴とする請求項１に記載の画像処理装置。
【請求項６】
前記注目画素において前記誤差値が所定の割合で加算された後の濃度値に応じたパルス幅のＰＷＭ信号を生成するＰＷＭ信号生成手段をさらに備える
ことを特徴とする請求項１から５のいずれか１項に記載の画像処理装置。
【請求項７】
前記濃度値に応じたパルス幅と、当該パルス幅に対応する前記理想のレーザー光の光量との対応関係は線形を示す
ことを特徴とする請求項１から６のいずれか１項に記載の画像処理装置。
【請求項８】
入力画像データの注目画素における濃度値と、前記注目画素における濃度値に応じたパルス幅のＰＷＭ信号に基づいて実際に照射されるレーザー光の光量と当該パルス幅に対応する理想のレーザー光の光量とに基づいて算出されるＰＷＭ誤差値と、から前記注目画素における誤差値を算出する誤差値算出ステップと、
前記注目画素の周辺に位置する周辺画素において算出された前記誤差値を、所定の割合で前記注目画素における濃度値に加算する濃度値計算ステップと、を備え、
前記誤差値算出ステップにおいて、前記注目画素における濃度値または前記入力画像データにおける前記注目画素の画素位置に応じて、前記注目画素における誤差値が０にされる
ことを特徴とする画像処理方法。
【請求項９】
ＰＷＭ信号のパルス幅に基づいて感光体に照射するレーザー光の光量を制御する電子写真方式の画像形成装置であって、
入力画像データの注目画素における濃度値と、前記注目画素における濃度値に応じたパルス幅のＰＷＭ信号に基づいて実際に照射されるレーザー光の光量と当該パルス幅に対応する理想のレーザー光の光量とに基づいて算出されるＰＷＭ誤差値と、から前記注目画素における誤差値を算出する誤差値算出手段と、
前記注目画素の周辺に位置する周辺画素において算出された前記誤差値を、所定の割合で前記注目画素における濃度値に加算する濃度値計算手段と、
前記注目画素において前記誤差値が所定の割合で加算された後の濃度値に応じたパルス幅のＰＷＭ信号を生成するＰＷＭ信号生成手段と、を備え、
前記誤差値算出手段は、前記注目画素における濃度値または前記入力画像データにおける前記注目画素の画素位置に応じて、前記注目画素における誤差値を０にする
ことを特徴とする画像形成装置。
【請求項１０】
ＰＷＭ信号のパルス幅に基づいて感光体に照射するレーザー光の光量を制御する電子写真方式の画像形成方法であって、
入力画像データの注目画素における濃度値と、前記注目画素における濃度値に応じたパルス幅のＰＷＭ信号に基づいて実際に照射されるレーザー光の光量と当該パルス幅に対応する理想のレーザー光の光量とに基づいて算出されるＰＷＭ誤差値と、から前記注目画素における誤差値を算出する誤差値算出ステップと、
前記注目画素の周辺に位置する周辺画素において算出された前記誤差値を、所定の割合で前記注目画素における濃度値に加算する濃度値計算ステップと、
前記注目画素において前記誤差値が所定の割合で加算された後の濃度値に応じたパルス幅のＰＷＭ信号を生成するＰＷＭ信号生成ステップと、を備え、
前記誤差値算出ステップにおいて、前記注目画素における濃度値または前記入力画像データにおける前記注目画素の画素位置に応じて、前記注目画素における誤差値が０にされる
ことを特徴とする画像形成方法。
【請求項１１】
スクリーン画像を生成するための画像処理装置であって、
第１の画像データにディザ処理を行うことで第２の画像データを生成するディザ処理手段であって、前記生成された第２の画像データは注目画素と当該注目画素の周辺画素を含み、前記注目画素の濃度値は前記周辺画素の濃度値より高く、前記周辺画素の前記濃度値は所定の濃度以下である、ディザ処理手段と、
前記注目画素における誤差を、前記注目画素の前記濃度値に基づき実際に放出されるレーザー光の光量と、前記注目画素の前記濃度値に応じた理想の光量との差に基づいて決定し、前記注目画素に引き続く複数の画素であって、前記周辺画素を含む前記複数の画素に当該決定された誤差値を拡散するものの、
前記周辺画素における誤差は、前記周辺画素に引き続く複数の画素には拡散しない拡散手段と、
前記注目画素の前記濃度値に基づく前記注目画素のパルス幅と、前記周辺画素の前記濃度値、および前記周辺画素へと拡散された誤差値に基づく前記周辺画素のパルス幅とを取得する取得手段と、を備え
前記注目画素の前記パルス幅と、前記周辺画素の前記パルス幅とは、前記スクリーン画像を出力するための信号を生成するために利用される
ことを特徴とする画像処理装置。
【請求項１２】
前記注目画素の前記濃度値は０でなく、前記周辺画素の前記濃度値は０である
ことを特徴とする請求項１１に記載の画像処理装置。
【請求項１３】
前記生成された第２の画像データの画素が、黒色画素、灰色画素、または白色画素であるかを決定し、当該決定を前記拡散手段に提供する提供手段をさらに備え、
前記注目画素は、黒色画素または灰色画素であり、前記周辺画素は白画素である
ことを特徴とする請求項１１または１２に記載の画像処理装置。
【手続補正２】
【補正対象書類名】明細書
【補正対象項目名】０００９
【補正方法】変更
【補正の内容】
【０００９】
本発明の画像処理装置は、入力画像データの注目画素における濃度値と、前記注目画素における濃度値に応じたパルス幅のＰＷＭ信号に基づいて実際に照射されるレーザー光の光量と当該パルス幅に対応する理想のレーザー光の光量とに基づいて算出されるＰＷＭ誤差値と、から前記注目画素における誤差値を算出する誤差値算出手段と、前記注目画素の周辺に位置する周辺画素において算出された前記誤差値を、所定の割合で前記注目画素における濃度値に加算する濃度値計算手段と、を備え、前記誤差値算出手段は、前記注目画素における濃度値または前記入力画像データにおける前記注目画素の画素位置に応じて、前記注目画素における誤差値を０にすることを特徴とする。